(57)【要約】【課題】  デジタル放送受信機の時刻設定が一意に決定でき、時刻表示や番組表の更新、番組録画予約の実行などの同期処理を行うシステムの信頼性を向上することが可能となるデジタル放送受信機を提供する。【解決手段】  ネットワークインターフェースモジュール（ＮＩＭ）１３，１４、デジタル録画再生機１０より、それぞれの入力あるいはデジタル放送波のＴＳがＴＳデコーダ部１５に供給される。そして、付加情報信号からどの放送のＴＯＴ情報を反映させるか、現在時刻における録画予約の実行や番組表に用いるデータ取得タイミングなどの制御は、システムコントローラ１７によって行うようにしている。【選択図】  図１
2007116321.tif 000002
【特許請求の範囲】
【請求項１】
複数のデジタル放送波入力、及び外部デジタル機器からのトランスポートストリームが入力可能なデジタル放送受信機において、
前記複数のデジタル放送波を復調しそれぞれのトランスポートストリームを得るための複数のネットワークインターフェースモジュールと、
供給される前記復調された複数のデジタル放送波のトランスポートストリームと、前記外部デジタル機器からのトランスポートストリームと、からそれぞれのＡＲＩＢ規格に準拠した時刻日付オフセットテーブルを含む情報信号を分離する分離部と、
前記分離された複数の時刻日付オフセットテーブルが供給され、前記供給された複数の時刻日付オフセットテーブルを択一して現在時刻として内部時計を調整する制御手段と、
を有することを特徴とするデジタル放送受信機。
【発明の詳細な説明】
【技術分野】
【０００１】
本発明は、デジタル放送波を受信可能なデジタル放送受信機に関する。
【背景技術】
【０００２】
現在、放送衛星(ＢＳ)や通信衛星(ＣＳ)のデジタル放送によるサービスが開始されている。デジタル放送波には、トランスポートストリーム（Transport Stream）という方式が用いられ、複数のトランスポートストリームにより、プログラム（番組）データが多重化されたデジタル放送波が送信される。デジタル放送波にはプログラムのデータの他にも様々なデータが含まれるが、この中に現在の時刻情報として時刻日付テーブル(ＴＤＴ:Time Data Table)と、サマータイムなど実際の時刻と人間系への表示時刻の差分時間を指示する時刻日付オフセットテーブル(ＴＯＴ:Time Offset Table)と呼ばれるＰＩＤ（Packet Indentification：パケット識別符号因子）を有するデータ群が含まれる。
【０００３】
ＴＯＴには、ＪＳＴ（日本標準時）の時刻、日付、サマータイムが導入されている場合には時間オフセット値等がデータとして含まれる。現在の地上波デジタル・ＢＳ／広域ＣＳデジタル放送においてはＴＯＴのみ伝送し、ＴＤＴは伝送されていない。このＴＯＴは５秒周期で常に最新の時刻情報が伝送されてくる。
【０００４】
このように、デジタル放送受信機についてはデジタル放送波にＴＯＴが含まれているので、デジタル放送波に含まれるＴＯＴを利用して、電化機器の時刻調整を自動で行う方法が提案されている（例えば、特許文献１参照。）。
【０００５】
【特許文献１】特開２００３−２７９６７７公報
【発明の開示】
【発明が解決しようとする課題】
【０００６】
ところで、ＡＲＩＢ（Association of Radio Industries and Businesses）規格において、ＴＯＴは、ＢＳデジタル放送、ＣＳデジタル放送、さらに地上デジタル放送には、必ず付与されている。しかしながら、デジタル放送受信機側でデジタル放送波を復調して生成された録画機器に用いられる番組のパケットだけを取り出したＴＳであるパーシャルＴＳにおいては、ＴＯＴは通常付与されていない。
【０００７】
従って、デジタル放送受信機にＤＶＤレコーダやＤ−ＶＨＳデッキなどのデジタル録画再生機器からのパーシャルＴＳが入力された場合、ＴＯＴが取得できない。その間デジタル放送受信機の時刻調整は、内部時計を自走させるようにしているが、デジタル放送受信機の内部クロックを使用するため、内部クロックによって実際の時刻とずれが生じるという問題があった。
【０００８】
また、複数のデジタル放送を受信した場合、複数のＴＳから複数のＴＯＴを取得することになる。ＴＯＴにおける時刻日付情報は送信側により作成されているため、送信先により時刻情報に若干の誤差が存在する。従って、取得したＴＯＴ毎に内部時計の補正をおこなうと時刻が頻繁に変動する可能性があり、表示時刻が頻繁に変動してしまうという問題があった。
さらには、この内部時計の時刻が頻繁に変動することにより、時刻表示や番組表の更新、番組録画予約の実行などの同期処理を行うシステムに影響を及ぼすという問題があった。
【０００９】
本発明は、以上の点に鑑みなされたもので、デジタル放送受信機内で使用するＴＯＴを１のデジタル放送波から取得することで、デジタル放送受信機の時刻設定が一意に決定でき、時刻表示や番組表の更新、番組録画予約の実行などの同期処理を行うシステムの信頼性を向上することが可能なデジタル放送受信機を提供することを目的とする。
【課題を解決するための手段】
【００１０】
本発明は、上記課題を解決するために、以下のに記載の手段よりなる。
すなわち、
複数のデジタル放送波入力、及び外部デジタル機器からのトランスポートストリームが入力可能なデジタル放送受信機において、
前記複数のデジタル放送波を復調しそれぞれのトランスポートストリームを得るための複数のネットワークインターフェースモジュールと、
供給される前記復調された複数のデジタル放送波のトランスポートストリームと、前記外部デジタル機器からのトランスポートストリームと、からそれぞれのＡＲＩＢ規格に準拠した時刻日付オフセットテーブルを含む情報信号を分離する分離部と、
前記分離された複数の時刻日付オフセットテーブルが供給され、前記供給された複数の時刻日付オフセットテーブルを択一して現在時刻として内部時計を調整する制御手段と、
を有することを特徴とするデジタル放送受信機。
【発明の効果】
【００１１】
本発明のデジタル放送受信機によれば、デジタル放送受信機内で使用するＴＯＴを１のデジタル放送波から取得することで、デジタル放送受信機の時刻設定が一意に決定でき、時刻表示や番組表の更新、番組録画予約の実行などの同期処理を行うシステムの信頼性が高いデジタル放送受信機を提供することができるという効果を奏する。
【発明を実施するための最良の形態】
【００１２】
以下、本発明に係るデジタル放送受信機を実施するための最良の形態につき、好ましい実施例により説明する。
本実施例に適用されるデジタル放送受信機について、添付図面を参照して説明する。図１は本発明のデジタル放送受信機の一実施例を示すブロック図であり、図２は本実施例に適用されるデジタル放送受信機の動作を説明するためのフローチャートである。
【００１３】
まず、本実施例に適用されるデジタル放送受信機について説明する。システム構成は、現在のデジタル放送状態を想定している。まずＢＳ／ＣＳアンテナ１１からデジタル放送受信機１にＲＦ信号が供給され、デジタル放送受信機１内のネットワークインターフェースモジュール（ＮＩＭ）１３において、所定のトランスポンダ周波数にチューニングされる。そして、デジタルビットストリーム信号であるトランスポートストリームＴＳに復調され、ＴＳデコーダ部１５に供給される。
【００１４】
同様に、地上デジタルアンテナ１２からデジタル放送受信機１にＲＦ信号が供給され、で入力され、デジタル放送受信機１内のネットワークインターフェースモジュール（ＮＩＭ）１４において、所定のトランスポンダ周波数にチューニングされる。そして、デジタルビットストリーム信号であるトランスポートストリームＴＳに復調され、ＴＳデコーダ部１５に供給される。
【００１５】
また、ＤＶＤレコーダやＤ−ＶＨＳデッキなどのデジタル録画再生機１０からは、トランスポートストリーム（パーシャルＴＳ）がデジタル放送受信機１に入力され、ＴＳデコーダ部１５に供給される。
【００１６】
ＴＳデコーダ部１５は、これらの複数のトランスポートストリームが供給される。最初に、有料放送などでスクランブルされているトランスポートストリームであればデスクランブルされ正規のトランスポートストリームに変換する。その後正規のトランスポートストリームから映像信号、音声信号、付加情報信号（字幕データ、セクションデータなど）へと分離し、視聴対象の映像・音声の信号はＡＶデコーダ１６へ出力する。ＡＶデコーダ１６では、視聴対象の映像・音声の信号がそれぞれ通常の映像・音声のアナログ信号に変換されてモニタ１１０・スピーカ１１１へそれぞれ出力される。
【００１７】
付加情報信号は別のソフトモジュールによって解析・変換される。セクションデータには、時刻日付テーブルＴＤＴや時刻日付オフセットテーブルＴＯＴ等が含まれる。字幕データは一時的なメモリに保管されたあと、表示制御部１８によって視聴対象の字幕がモニタ１１０に出力される。デジタル放送受信機１の内部時計へどの放送のＴＯＴ情報を反映させるか、また、現在時刻における録画予約の実行や番組表に用いるデータ取得タイミングなどの制御は、システムコントローラ１７によって行われており、メモリ１９では付加情報信号から取り出したデータの一時保管や、受信機を制御するプログラムやシステム環境設定情報の記憶を行っている。
【００１８】
このように構成されるデジタル放送受信機１における動作をさらに詳細に説明する。図２において、電源ＯＮの正常動作している受信機より常に複数放送波からのＴＯＴを取得する（ステップ０）。ＴＯＴ設定情報から取得したＴＯＴが現在視聴中からの放送波からであるか判断する（ステップ１）。現在視聴中の放送波からのＴＯＴであった場合（ステップ１はい）、その時刻日付情報を規準として受信機の内部時計に反映させ、その情報をＴＯＴ設定情報として保存する（ステップ２）。
【００１９】
視聴中ではない放送波からのＴＯＴの場合（ステップ１いいえ）、ＴＯＴ設定情報から視聴中かどうか判断する（ステップ３）。視聴中の場合はＴＯＴを破棄する（ステップ４）。ＴＯＴ設定情報から、視聴中ではあるが視聴対象の放送波からＴＯＴが取得できない場合(外部入力ＴＳからの再生状態や放送事故など)や視聴状態でない場合(電源ＯＦＦなど)と判断したときは、取得したＴＯＴの時刻日付情報を規準として受信機の内部時計に反映させ、その情報をＴＯＴ設定情報として保存する（ステップ２）。
【００２０】
上述のように、デジタル放送受信機内で使用するＴＯＴを１のデジタル放送波から取得することで、デジタル放送受信機の時刻設定が一意に決定でき、時刻表示や番組表の更新、番組録画予約の実行などの同期処理を行うシステムの信頼性を向上することが可能となる。
【図面の簡単な説明】
【００２１】
【図１】本実施例に適用されるデジタル放送受信機の一実施例を示すブロック図である。
【図２】本実施例に適用されるデジタル放送受信機の動作を説明するフローチャートの一例である。
【符号の説明】
【００２２】
１…デジタル放送受信機
１０…デジタル録画再生機
１１…ＢＳ／ＣＳアンテナ
１２…地上デジタルアンテナ
１３，１４…ネットワークインターフェースモジュール（ＮＩＭ）
１５…ＴＳデコーダ部
１６…ＡＶデコーダ
１７…システムコントローラ
１８…表示制御部
１９…メモリ
【図１】
2007116321.tif 000003
【図２】
2007116321.tif 000004